(57)【要約】      （修正有）【課題】乳化安定性等の安定性に優れ、高品質な画像を紙媒体に形成できるインクジェットエマルジョンインクを提供する。【解決手段】色材、水性液体、油性液体、およびポリビニルアルコールを含有するインクジェットエマルジョンインクである。前記水性液体は、前記インクジェットエマルジョンインクの１０〜４０ｗｔ％を占める。前記油性液体は、前記インクジェットエマルジョンインクの６０〜９０ｗｔ％を占め、少なくとも一部が下記一般式（Ａ）で表わされる芳香族アルコールである。前記ポリビニルアルコールは、前記インクジェットエマルジョンインクの０．１〜３ｗｔ％を占め、４ｗｔ％水溶液の２０℃における粘度が１０ｍＰａ・ｓ未満である。2011099088.tif 000016【選択図】なし【特許請求の範囲】
【請求項１】
色材と、
前記インクジェットエマルジョンインク中における含有量ＷAQが１０〜４０ｗｔ％である水性液体と、
前記インクジェットエマルジョンインク中における含有量ＷOLが６０〜９０ｗｔ％であり、少なくとも一部が下記一般式（Ａ）で表わされる芳香族アルコールである油性液体と、
前記インクジェットエマルジョンインクの０．１〜３ｗｔ％を占め、４ｗｔ％水溶液の２０℃における粘度が１０ｍＰａ・ｓ未満であるとともに、下記一般式（Ｂ）で表わされるポリビニルアルコールと
を含有することを特徴とするインクジェットエマルジョンインク。
【化１】
2011099088.tif 000014
（ここで、Ｒaは炭素数１〜５の脂肪族炭化水素基、Ｒbは−Ｏ−または−ＣＨ2Ｏ−であり、ｋは０または１である。）
【化２】
2011099088.tif 000015
（ここで、ｎ，ｍは０．４≦ｎ／（ｎ＋ｍ）≦０．７３を満たす。）
【請求項２】
前記ＷAQとＷOLとは、０．１４＜（ＷAQ／ＷOL）＜０．７を満たすことを特徴とする請求項１に記載のインクジェットエマルジョンインク。
【請求項３】
前記ＷAQとＷOLとは、０．２＜（ＷAQ／ＷOL）＜０．５を満たすことを特徴とする請求項２に記載のインクジェットエマルジョンインク。
【請求項４】
前記水性液体の少なくとも５０ｗｔ％は水であることを特徴とする請求項１乃至３のいずれか１項に記載のインクジェットエマルジョンインク。
【請求項５】
前記油性液体の少なくとも５０ｗｔ％は、前記芳香族アルコールであることを特徴とする請求項１乃至４のいずれか１項に記載のインクジェットエマルジョンインク。
【請求項６】
前記一般式（Ａ）において、脂肪族炭化水素基Ｒaは、−ＣＨ2−、−（ＣＨ2）2−、−（ＣＨ2）3−、−（ＣＨ2）4−、−ＣＨ(ＣＨ3)ＣＨ2−、および−ＣＨ2ＣＨ(ＣＨ3)−からなる群から選択されることを特徴とする請求項１乃至５のいずれか１項に記載のインクジェットエマルジョンインク。
【請求項７】
前記水溶液は、２０℃における粘度が８ｍＰａ・ｓ未満であることを特徴とする請求項１乃至６のいずれか１項に記載のインクジェットエマルジョンインク。
【請求項８】
前記ポリビニルアルコールは、前記インクジェットインクの０．５〜２ｗｔ％を占めることを特徴とする請求項１乃至７のいずれか１項に記載のインクジェットエマルジョンインク。
【請求項９】
前記ポリビニルアルコールは、前記インクジェットインクの１〜２ｗｔ％を占めることを特徴とする請求項８に記載のインクジェットエマルジョンインク。
【請求項１０】
前記色材は、前記インクジェットインクの０．１〜２０ｗｔ％を占めることを特徴とする請求項１乃至９のいずれか１項に記載のインクジェットエマルジョンインク。
【請求項１１】
前記色材は、表面に官能基またはその塩を有する顔料であることを特徴とする請求項１乃至１０のいずれか１項に記載のインクジェットエマルジョンインク。
【請求項１２】
前記官能基は、カルボニル基、カルボキシル基、ヒドロキシル基、およびスルホン基からなる群から選択されることを特徴とする請求項１１に記載のインクジェットエマルジョンインク。
【請求項１３】
前記色材は、水溶性染料であることを特徴とする請求項１乃至１０のいずれか１項に記載のインクジェットエマルジョンインク。
【請求項１４】
前記インクは、２５℃における粘度が５〜３０ｍＰａ・ｓであることを特徴とする請求項１乃至１３のいずれか１項に記載のインクジェットエマルジョンインク。
【請求項１５】
界面活性剤をさらに含有することを特徴とする請求項１乃至１４のいずれか１項に記載のインクジェットエマルジョンインク。
【請求項１６】
前記水性液体は水溶性化合物を含むことを特徴とする請求項１乃至１５のいずれか１項に記載のインクジェットエマルジョンインク。
【請求項１７】
前記水溶性化合物は、グリセリン、ジグリセリン、ポリグリセリン、エチレングリコール、ジエチレングリコール、トリエチレングリコール、ポリエチレングリコール、トリプロピレングリコール、ポリプロピレングリコール、１，２，６−ヘキサントリオール、１，２，４−ブタントリオール、１，２，３−ブタントリオール、３−メチルー１，３，５−ペンタントリオール、ソルビトール、マンニトール、マルチトール、およびその誘導体からなる群から選択されることを特徴とする請求項１６に記載のインクジェットエマルジョンインク。
【請求項１８】
紙媒体に少なくとも１種のインク組成物をインクジェットヘッドから噴射して画像を形成する工程を具備し、
前記インク組成物は請求項１乃至１７のいずれか１項に記載のインクジェットエマルジョンインクであることを特徴とするインクジェット記録方法。
【請求項１９】
前記画像の形成は、１種類のインク組成物を用いて行なわれることを特徴とする請求項１８に記載の記録方法。
【請求項２０】
前記画像の形成は、異なる色の２種類以上のインク組成物を用いて行なわれることを特徴とする請求項１８に記載の記録方法。
【発明の詳細な説明】
【技術分野】
【０００１】
ここに記載する実施形態は、一般的にはインクジェットエマルジョンインクに関する。
【背景技術】
【０００２】
近年では、水性成分と油性成分とを含むエマルジョンタイプのインクジェットインクが提案されている。水性インクおよび油性インクの双方の長所を、兼ね備えることができるためである。
【０００３】
しかしながら、紙媒体への記録に適したインクジェットエマルジョンインクであって、乳化安定性等の安定性に優れ、高品質な画像を紙媒体に形成できるインクは、未だ得られていない。
【先行技術文献】
【特許文献】
【０００４】
【特許文献１】米国特許第５，５３１，８１６号明細書
【特許文献２】特開２００６−５６９３１号公報
【特許文献３】特開２００５−５４１４１号公報
【発明の概要】
【発明が解決しようとする課題】
【０００５】
本発明は、乳化安定性等の安定性に優れ、高品質な画像を紙媒体に形成できるインクジェットエマルジョンインクを提供することを目的とする。
【課題を解決するための手段】
【０００６】
一般的には、一実施形態によれば、インクジェットエマルジョンインクは、色材、水性液体、油性液体、およびポリビニルアルコールを含有する。前記水性液体は、前記インクジェットエマルジョンインクの１０〜４０ｗｔ％を占める。前記油性液体は、前記インクジェットエマルジョンインクの６０〜９０ｗｔ％を占め、少なくとも一部が下記一般式（Ａ）で表わされる芳香族アルコールである。前記ポリビニルアルコールは、前記インクジェットエマルジョンインクの０．１〜３ｗｔ％を占め、４ｗｔ％水溶液の２０℃における粘度が１０ｍＰａ・ｓ未満であるとともに、下記一般式（Ｂ）で表わされる。
【化１】
2011099088.tif 000002
【０００７】
Ｒaは炭素数１〜５の脂肪族炭化水素基、Ｒbは−Ｏ−または−ＣＨ2Ｏ−であり、ｋは０または１である。
【化２】
2011099088.tif 000003
【０００８】
ｎ，ｍは０．４≦ｎ／（ｎ＋ｍ）≦０．７３を満たす。
【図面の簡単な説明】
【０００９】
【図１】インクジェット記録装置の一例である。
【発明を実施するための形態】
【００１０】
以下、実施形態を具体的に説明する。
【００１１】
図１に示すインクジェット記録装置においては、用紙カセット１００および１０１は、サイズの異なる用紙Ｐを収容している。供紙ローラ１０２または１０３は、選択された用紙サイズに対応した用紙Ｐを用紙カセット１００または１０１から取り出し、搬送ローラ対１０４、１０５およびレジストローラ対１０６に搬送する。
【００１２】
搬送ベルト１０７は、駆動ローラ１０８と２本の従動ローラ１０９とによって張力が与えられている。搬送ベルト１０７の表面には所定間隔で穴が設けられ、搬送ベルト１０７の内側には用紙Ｐを搬送ベルト１０７に吸着させるため、ファン１１０に連結された負圧チャンバ１１１が設置されている。搬送ベルト１０７の用紙搬送方向下流には、搬送ローラ対１１２、１１３、および１１４が設置されている。
【００１３】
搬送ベルト１０７の上方には、画像データに応じてインクを用紙に吐出するインクジェットヘッドが４列配列されている。上流から、シアン（Ｃ）インクを吐出するインクジェットヘッド１１５Ｃ、マゼンタ（Ｍ）インクを吐出するインクジェットヘッド１１５Ｍ、イエロー（Ｙ）インクを吐出するインクジェットヘッド１１５Ｙ、ブラック（Ｂｋ）インクを吐出するインクジェットヘッド１１５Ｂｋの順である。さらに、インクジェットヘッド１１５Ｃ、１１５Ｍ、１１５Ｙ、および１１５Ｂｋには、対応したインクが収容されているシアン（Ｃ）インクカートリッジ１１６Ｃ、マゼンタ（Ｍ）インクカートリッジ１１６Ｍ、イエロー（Ｙ）インクカートリッジ１１６Ｙ、ブラック（Ｂｋ）インクカートリッジ１１６Ｂｋが設けられている。カートリッジは、それぞれチューブ１１７Ｃ、１１７Ｍ、１１７Ｙ、１１７Ｂｋによって、インクジェットヘッドに連結されている。
【００１４】
こうした構成のインクジェット記録装置の画像形成動作について述べる。
【００１５】
まず、画像処理手段（図示しない）により記録のための画像処理が開始され、記録のための画像データが各インクジェットヘッド１１５Ｃ、１１５Ｍ、１１５Ｙ、１１５Ｂｋに転送される。また、用紙カセット１００または１０１から給紙ローラ１０２または１０３により選択された用紙サイズの用紙Ｐを一枚ずつ取り出し、搬送ローラ対１０４、１０５およびレジストローラ対１０６に搬送する。レジストローラ対１０６は用紙Ｐのスキューを補正し、所定のタイミングで搬送を行なう。
【００１６】
負圧チャンバ１１１は搬送ベルト１０７の穴を介して空気を吸い込んでいるので、用紙Ｐは搬送ベルト１０７に吸着された状態でインクジェットヘッド１１５Ｃ、１１５Ｍ、１１５Ｙ、１１５Ｂｋの下側を搬送される。このことで、インクジェットヘッド１１５Ｃ、１１５Ｍ、１１５Ｙ、１１５Ｂｋと用紙Ｐとは一定の間隔を保つことができる。レジストローラ対１０６から用紙Ｐが搬送されるタイミングに同期させて、各インクジェットヘッド１１５Ｃ、１１５Ｍ、１１５Ｙ、１１５Ｂｋから各色のインクを吐出させる。こうして、用紙Ｐの所望に位置にカラー画像が形成される。画像が形成された用紙Ｐは搬送ローラ対１１２、１１３および１１４によって排紙トレイ１１８に排紙される。
【００１７】
各インクカートリッジには、一実施形態にかかるインクジェットエマルジョンインクが収容される。
【００１８】
本実施形態にかかるインクジェットエマルジョンインクは、色材を含有する乳化液である。乳化液においては、特定の乳化剤によって、水性液体が油性液体中に分散されており、いわゆる油中水型エマルジョンである。油性液体の少なくとも一部は、特定の芳香族アルコールである。
【００１９】
特定の乳化剤と特定の芳香族アルコールとが含有されているので、本実施形態にかかるインクは、乳化安定性および保存安定性に優れ、プリンターヘッドのノズルから安定に吐出することができる。水性液体と油性液体とが含有されるので、高品質の画質を紙媒体に形成することが可能となった。油性液体が含まれたことによって、インク中における水性液体の含有量が低減され、紙媒体の変形を避けることができる。しかも、油性液体の少なくとも一部は特定の芳香族アルコールであるので、透明樹脂フィルム等へのダメージも低減することが可能となった。
【００２０】
本明細書において、紙媒体とは、一般的には、印刷されることを目的に使用される紙製の媒体をさす。印刷特性を高めるための材料が塗布されたアート紙やコート紙などの塗工用紙と、紙自体の特性を生かした非塗工用紙とに大別される。紙媒体は、本、書籍、新聞、包装、およびプリンター用紙など、種々の用途に用いられる。また、段ボール、紙製の容器、およびボール紙などの厚紙も紙媒体に含まれる。例えば、オフィスや家庭で使用する複写機、プリンターに使用されるコピー用紙のような、いわゆる普通紙は、典型的な紙媒体である。
【００２１】
本実施形態のインクにおいては、乳化液中に色材が含まれる。
【００２２】
色材としては、例えば水溶性染料を用いることができる。水溶性染料としては、例えば、直接染料、酸性染料、反応性染料、および塩基性染料等が挙げられる。あるいは、自己分散型の顔料が水に分散された分散体を用いてもよい。自己分散型の顔料とは、表面処理を施して、カルボニル基、カルボキシル基、ヒドロキシル基、およびスルホン基の少なくとも一種の官能基またはその塩を結合させた顔料である。表面処理としては、例えば、真空プラズマ処理、ジアゾカップリング処理、および酸化処理等が挙げられる。こうした表面処理により官能基または官能基を含んだ分子を顔料の表面にグラフトさせることによって、自己分散顔料が得られる。
【００２３】
水中自己分散タイプの顔料および水溶性染料は、水中での分散安定性が非常に高いため、油中水型エマルジョンにすることで油性液体の含有量を増量しても、色材の分散安定性は維持される。凝集物の発生が少なく、インクジェットヘッド中のノズルに詰まることもない。したがって、かかるインクは、吐出安定性に優れる。
【００２４】
特に、自己分散顔料は、水中での分散安定性に優れるとともに、紙媒体への吸着力が高い。これらに起因して、自己分散顔料が含有されたインクは、高品質な画像を形成することができる。
【００２５】
顔料分散体に含まれる顔料は特に限定されず、無機顔料および有機顔料のいずれを用いてもよい。無機顔料としては、例えば酸化チタンおよび酸化鉄が挙げられる。さらに、コンタクト法、ファーネス法、またはサーマル法などの公知の方法によって製造されたカーボンブラックを使用することができる。
【００２６】
有機顔料としては、例えば、アゾ顔料（アゾレーキ顔料、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、およびアニリンブラックなどを使用できる。
【００２７】
ブラックインクとして使用されるカーボンブラックとしては、具体的には、Ｎｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等（三菱化学製）、Ｒａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等（コロンビア社製）、Ｒｅｇａｌ  ４００Ｒ，Ｒｅｇａｌ  ３３０Ｒ，Ｒｅｇａｌ  ６６０Ｒ，Ｍｏｇｕｌ  Ｌ，Ｍｏｎａｒｃｈ  ７００，Ｍｏｎａｒｃｈ  ８００，Ｍｏｎａｒｃｈ  ８８０，Ｍｏｎａｒｃｈ９００，Ｍｏｎａｒｃｈ  １０００，Ｍｏｎａｒｃｈ  １１００，Ｍｏｎａｒｃｈ  １３００，Ｍｏｎａｒｃｈ  １４００等（キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，  Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，ＰｒｉｎｔｅｘＶ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，およびＳｐｅｃｉａｌ  Ｂｌａｃｋ  ４等（デグッサ社製）などが挙げられる。
【００２８】
イエローインクに使用される顔料としては、具体的には、Ｃ．Ｉ．Ｐｉｇｍｅｎｔ  Ｙｅｌｌｏｗ  １，Ｃ．Ｉ．Ｐｉｇｍｅｎｔ  Ｙｅｌｌｏｗ２，Ｃ．Ｉ．Ｐｉｇｍｅｎｔ  Ｙｅｌｌｏｗ  ３，Ｃ．Ｉ．Ｐｉｇｍｅｎｔ  Ｙｅｌｌｏｗ  １２，Ｃ．Ｉ．Ｐｉｇｍｅｎｔ  Ｙｅｌｌｏｗ  １３，Ｃ．Ｉ．Ｐｉｇｍｅｎｔ  Ｙｅｌｌｏｗ  １４Ｃ，Ｃ．Ｉ．Ｐｉｇｍｅｎｔ  Ｙｅｌｌｏｗ  １６，Ｃ．Ｉ．Ｐｉｇｍｅｎｔ  Ｙｅｌｌｏｗ  １７，Ｃ．Ｉ．Ｐｉｇｍｅｎｔ  Ｙｅｌｌｏｗ  ７３，Ｃ．Ｉ．  Ｐｉｇｍｅｎｔ  Ｙｅｌｌｏｗ  ７４，Ｃ．Ｉ．Ｐｉｇｍｅｎｔ  Ｙｅｌｌｏｗ  ７５，Ｃ．Ｉ．Ｐｉｇｍｅｎｔ  Ｙｅｌｌｏｗ  ８３，Ｃ．Ｉ．Ｐｉｇｍｅｎｔ  Ｙｅｌｌｏｗ９３，Ｃ．Ｉ．Ｐｉｇｍｅｎｔ  Ｙｅｌｌｏｗ９５，Ｃ．Ｉ．Ｐｉｇｍｅｎｔ  Ｙｅｌｌｏｗ９７，Ｃ．Ｉ．Ｐｉｇｍｅｎｔ  Ｙｅｌｌｏｗ  ９８，Ｃ．Ｉ．ＰｉｇｍｅｎｔＹｅｌｌｏｗ  １０９，Ｃ．Ｉ．Ｐｉｇｍｅｎｔ  Ｙｅｌｌｏｗ  １１０，Ｃ．Ｉ．Ｐｉｇｍｅｎｔ  Ｙｅｌｌｏｗ  １１４，Ｃ．Ｉ．Ｐｉｇｍｅｎｔ  Ｙｅｌｌｏｗ  １２８，  Ｃ．Ｉ．Ｐｉｇｍｅｎｔ  Ｙｅｌｌｏｗ  １２９，Ｃ．Ｉ．Ｐｉｇｍｅｎｔ  Ｙｅｌｌｏｗ  １３８，Ｃ．Ｉ．Ｐｉｇｍｅｎｔ  Ｙｅｌｌｏｗ  １５０，Ｃ．Ｉ．Ｐｉｇｍｅｎｔ  Ｙｅｌｌｏｗ  １５１，Ｃ．Ｉ．Ｐｉｇｍｅｎｔ  Ｙｅｌｌｏｗ  １５４，Ｃ．Ｉ．Ｐｉｇｍｅｎｔ  Ｙｅｌｌｏｗ  １５５，Ｃ．Ｉ．Ｐｉｇｍｅｎｔ  Ｙｅｌｌｏｗ  １８０，およびＣ．Ｉ．Ｐｉｇｍｅｎｔ  Ｙｅｌｌｏｗ  １８５等が挙げられる。
【００２９】
マゼンタインクに使用される顔料としては、具体的には、Ｃ．Ｉ．Ｐｉｇｍｅｎｔ  Ｒｅｄ  ５，Ｃ．Ｉ．Ｐｉｇｍｅｎｔ  Ｒｅｄ７，Ｃ．Ｉ．Ｐｉｇｍｅｎｔ  Ｒｅｄ  １２，Ｃ．Ｉ．Ｐｉｇｍｅｎｔ  Ｒｅｄ  ４８（Ｃａ），Ｃ．Ｉ．Ｐｉｇｍｅｎｔ  Ｒｅｄ  ４８（Ｍｎ），Ｃ．Ｉ．Ｐｉｇｍｅｎｔ  Ｒｅｄ  ５７（Ｃａ），Ｃ．Ｉ．Ｐｉｇｍｅｎｔ  Ｒｅｄ  ５７：１，Ｃ．Ｉ．Ｐｉｇｍｅｎｔ  Ｒｅｄ  １１２，Ｃ．Ｉ．Ｐｉｇｍｅｎｔ  Ｒｅｄ  １２２，Ｃ．Ｉ．Ｐｉｇｍｅｎｔ  Ｒｅｄ  １２３，Ｃ．Ｉ．Ｐｉｇｍｅｎｔ  Ｒｅｄ  １６８，Ｃ．Ｉ．Ｐｉｇｍｅｎｔ  Ｒｅｄ  １８４，Ｃ．Ｉ．Ｐｉｇｍｅｎｔ  Ｒｅｄ  ２０２，およびＣ．Ｉ．Ｐｉｇｍｅｎｔ  Ｖｉｏｌｅｔ１９等が挙げられる。
【００３０】
シアンインクに使用される顔料としては、具体的には、Ｃ．Ｉ．Ｐｉｇｍｅｎｔ  Ｂｌｕｅ  １，Ｃ．Ｉ．Ｐｉｇｍｅｎｔ  Ｂｌｕｅ  ２，Ｃ．Ｉ．  Ｐｉｇｍｅｎｔ  Ｂｌｕｅ  ３，Ｃ．Ｉ．Ｐｉｇｍｅｎｔ  Ｂｌｕｅ  １５：３，Ｃ．Ｉ．Ｐｉｇｍｅｎｔ  Ｂｌｕｅ  １５：４，Ｃ．Ｉ．Ｐｉｇｍｅｎｔ  Ｂｌｕｅ  １５：３４，Ｃ．Ｉ．Ｐｉｇｍｅｎｔ  Ｂｌｕｅ  １６，Ｃ．Ｉ．Ｐｉｇｍｅｎｔ  Ｂｌｕｅ  ２２，Ｃ．Ｉ．Ｐｉｇｍｅｎｔ  Ｂｌｕｅ  ６０，Ｃ．Ｉ．Ｖａｔ  Ｂｌｕｅ  ４，およびＣ．Ｉ．Ｖａｔ  Ｂｌｕｅ  ６０が挙げられる。
【００３１】
インクジェットインクであるので、顔料の平均粒径は１０〜３００ｎｍ程度の範囲内であることが好ましい。さらに顔料の平均粒径は、１０〜２００ｎｍ程度の範囲内であることが好ましい。
【００３２】
顔料の平均粒径は、動的光散乱法を用いた粒度分布計を用いて測定することができる。粒度分布計としては、例えば、ＨＰＰＳ（マルバーン社）が挙げられる。
【００３３】
インク中における色材の含有量は特に制限されないが、着色性や顔料の分散安定性の観点から、０．１〜２０ｗｔ％程度が好ましく、１〜１０ｗｔ％程度がより好ましい。
【００３４】
本実施形態のインクにおいて、水性液体の含有量ＷAQは、インク全量の１０〜４０ｗｔ％に規定される。水性液体の含有量が１０ｗｔ％未満の場合には、油性液体の作用が大きくなりすぎて、紙媒体へのインクの浸透を抑制するのが難しくなる。しかも、色材として顔料が含有される場合には、水性液体中における顔料の粒子間距離を確保することができない。顔料の分散安定性が十分に得られないため、顔料の凝集が発生して、インク吐出安定性が低下する。水性液体の含有量が４０ｗｔ％を超えると、所望の浸透力を確保することができない。インクの浸透による乾燥も遅くなる。
【００３５】
水性液体の少なくとも５０ｗｔ％は、水であることが望まれる。水性液体の全量が水の場合には、顔料の分散安定性に及ぼす影響がより小さくなるので、インク保存安定性が高められる。
【００３６】
水性液体の含有量は、紙媒体の変形の程度と関連が大きく、水自体は紙媒体の変形を生じさせる。紙中へ浸透する水性液体の量が多いと、紙媒体の変形も大きくなる。具体的には印字時にカール等の用紙変形が顕著になる。これを避けるためにもインク中における水性液体の含有量は、４０ｗｔ％以下に規定される。水性液体の含有量は、インク全量の１０〜３０ｗｔ％であることがより好ましい。
【００３７】
水性液体は、水溶性化合物を含むことができる。この場合には、インクの粘度を調整し、保存性、保湿性、および脱泡性等を高めることができる。インクの吐出安定性も、よりいっそう高められる。
【００３８】
水溶性化合物としては、例えば、グリセリン、ジグリセリン、ポリグリセリン、エチレングリコール、ジエチレングリコール、トリエチレングリコール、ポリエチレングリコール、トリプロピレングリコール、ポリプロピレングリコール、１，２，６−ヘキサントリオール、１，２，４−ブタントリオール、１，２，３−ブタントリオール、３−メチルー１，３，５−ペンタントリオール、ソルビトール、マンニトール、およびマルチトールなどが挙げられる。さらに、こうした化合物の誘導体を用いることもできる。
【００３９】
本実施形態のインクにおいて、油性液体の含有量ＷOLは、インク全量の９０〜６０ｗｔ％に規定される。油性液体の含有量が９０ｗｔ％を超えると、得られる画像の品質が低下する。一方、油性液体の含有量が６０ｗｔ％未満の場合には、水性液体の作用が大きくなって紙媒体の変形が生じやすくなる。油性液体の含有量は、インク全量の８０〜６５ｗｔ％が好ましい。
【００４０】
油性液体の少なくとも一部は、下記一般式（Ａ）で表わされる芳香族アルコールである。この芳香族アルコールは、水への溶解性が２５℃において１０ｗｔ％未満であり、沸点が１８０℃（１０１３ｈＰａ）以上である。こうした点から、インクジェット記録に適している。
【化３】
2011099088.tif 000004
【００４１】
ここで、Ｒaは炭素数１〜５の脂肪族炭化水素基、Ｒbは−Ｏ−または−ＣＨ2Ｏ−であり、ｋは０または１である。
【００４２】
炭化水素基Ｒaとしては、具体的には、−ＣＨ2−、−（ＣＨ2）2−、−（ＣＨ2）3−、−（ＣＨ2）4−、−ＣＨ(ＣＨ3)ＣＨ2−、および−ＣＨ2ＣＨ(ＣＨ3)−等が挙げられる。
【００４３】
より具体的には、一般式（Ａ）で表わされる化合物としては、例えば、ベンジルアルコール（Ｃａｓ．１００−５１−６）、２−フェニルエチルアルコール（Ｃａｓ．６０−１２−８）、３−フェニル−１−プロパノール（Ｃａｓ．１２２−９７−４）、４−フェニル−１−ブタノール（Ｃａｓ．３３６０−４１−６）、２−フェニル−１−プロパノール（Ｃａｓ．１１２３−８５−９）、１−フェニル−２−プロパノール（Ｃａｓ．１４８９８−８７−４）、フェノキシエタノール（Ｃａｓ．１２２−９９−６）、フェノキシプロパノール（Ｃａｓ．７７０−３５−４、Ｃａｓ．４１６９−０４−４）、フェニルジグリコール（Ｃａｓ．１０４−６８−７）、およびベンジルグリコール（Ｃａｓ．６２２−０８−２）などが挙げられる。これらの芳香族アルコール化合物は、単独で用いても２種以上を組み合わせて用いてもよい。
【００４４】
インクの保存安定性および吐出性能を考慮すると、特に好ましいのは、ベンジルアルコール（Ｒa：−ＣＨ2−、ｋ＝０）、フェニルグリコール（Ｒa：−（ＣＨ2）2−、Ｒb：−Ｏ−）、フェノキシプロパノール（Ｒa：−ＣＨ(ＣＨ3)ＣＨ2−、Ｒb：−Ｏ−）、フェニルプロピレングリコール（Ｒa：−ＣＨ2ＣＨ(ＣＨ3)−、Ｒb：−Ｏ−）、およびベンジルグリコール（Ｒa：−（ＣＨ2）2−、Ｒb：−ＣＨ2Ｏ−）である。
【００４５】
上述したような芳香族アルコールは、油性液体の少なくとも５０ｗｔ％を占めることが好ましい。油性液体が紙中に残った場合には、にじみや光沢感が生じて印刷品質が低下する。前述の芳香族アルコールは紙中に残りにくいので、油性液体の全量が前述の芳香族アルコールの場合には、印刷品質を高めることができる。
【００４６】
油性液体は、以下のような非水溶性有機溶媒を含んでもよい。例えば、ヘキシルグリコール、２−エチルヘキシルグリコール、２−エチルヘキシルジグリコール、ジブチルジグリコール、ｎ−ノナノール、ｎ−ヘキサノール、ｎ−ヘプタノール、アジピン酸ジエチル、パルミチン酸エチルヘキシル、ミリスチン酸イソセチル、およびプロピオン酸ベンジルなどである。さらに、パラフィン系オイル、ナフテン系オイル、スピンドル油、およびマシン油などの鉱物油；アマニ油、ヒマシ油、大豆油、およびキリ油などの植物油；炭素数３０以下の炭化水素なども挙げられる。
【００４７】
水性液体の含有量ＷAQと前記油性液体の含有量ＷOLとの比（ＷAQ／ＷOL）は、以下の範囲内であることが好ましい。
【００４８】
０．１４＜（ＷAQ／ＷOL）＜０．７
この範囲内であれば、紙媒体へ適切に浸透するインクが得られるので、高品質の画像を紙媒体に形成することができる。しかも、カール等の紙媒体の変形も、何等生じることはない。
【００４９】
水性液体の含有量ＷAQと前記油性液体の含有量ＷOLとの比（ＷAQ／ＷOL）は、以下の範囲内であることがより好ましい。
【００５０】
０．２＜（ＷAQ／ＷOL）＜０．５
上述したような水性液体は、乳化剤によって油性液体中に乳化する。本実施形態においては、乳化剤としては、下記一般式（Ｂ）で表わされるポリビニルアルコール（以下、ＰＶＡと称する）が含有される。
【化４】
2011099088.tif 000005
【００５１】
ここで、ｎ，ｍは０．４≦ｎ／（ｎ＋ｍ）≦０．７３を満たす。
【００５２】
インク中におけるＰＶＡの含有量は、インク全量の０．１〜３ｗｔ％に規定される。０．１ｗｔ％未満の場合には、十分な乳化安定性が得られないため、油性液体中に分散される水性液体の分散径が大きくなってしまう。その結果、長期保存において油性液体と水性液体とが分離しやすくなる。さらに、インクジェットノズルからの吐出が不安定になる。一方、３ｗｔ％を超えると、インクの増粘や、高分子化合物同士の絡み合い等に起因して、色材とＰＶＡとの橋掛け凝集等が発生する。したがって、インクジェットノズルから安定して吐出することが困難になる。インク中におけるＰＶＡの含有量は、０．５〜２ｗｔ％が好ましく、１〜２ｗｔ％がより好ましい。
【００５３】
インクジェットノズルからの吐出安定性を確保するために、本実施形態に用いられるＰＶＡは、４ｗｔ％水溶液の２０℃における粘度が１０ｍＰａ・ｓ未満に規定される。一般式（Ｂ）における（ｎ＋ｍ）が１０００未満のＰＶＡであれば、こうした粘度が確保できる。ＰＶＡの４ｗｔ％水溶液の２０℃における粘度は、８ｍＰａ・ｓ未満であることがより好ましい。
【００５４】
ＰＶＡは、親水性が非常に強く、温水に可溶である。こうした性質は、合成高分子としては特徴的であり、接着剤などのバインダーとして広く用いられている。さらに、ＰＶＡは、親水性と親油性とのバランスをコントロールすることができるため、乳化剤としても広く用いられる。
【００５５】
本発明者らは、ＰＶＡのけん化価に着目した。けん化価は、上記一般式（Ｂ）中のｎ，ｍを用いて、１００×ｎ／（ｎ＋ｍ）（ｍｏｌ％）で表わされる。けん化価が４０ｍｏｌ％以上７３ｍｏｌ％以下の範囲内のＰＶＡと、前述の芳香族アルコール化合物とを組み合わせることによって、良好なエマルジョンインクを得ることが可能となった。すなわち、色材を含む水性液体が、芳香族アルコール化合物を含む油性液体中に均一に乳化された油中水型エマルションインクを得ることができた。こうした知見は、本発明者らによって初めて見出された。
【００５６】
本実施形態のインクにおいては、水性液体と油性液体とが乳化液に含まれる。水性液体と油性液体とは、紙中への浸透速度が異なる。具体的には、水性液体の浸透速度は遅く、油性液体は水性液体より速く浸透する。こうして、水性液体と油性液体とは紙中に浸透し始めると同時に分離し始める。
【００５７】
色材として含有される顔料は、水性液体と油性液体とが乳化した状態の乳化液中では安定に分散できる。水性液体と油性液体とが分離すると、インク中における顔料の分散安定性が低下する。水性液体と油性液体との相溶性が崩れるので、自ずと顔料の凝集が進むようになる。その結果、紙中への顔料の浸透が抑制される。
【００５８】
色材として顔料が用いられる場合には、顔料は紙の表面近傍に留まる。色材として水溶性染料が用いられる場合には、同様に紙の表面近傍に留まる。いずれの場合も、本実施形態のインクを用いて得られる画像の濃度は、油性インクを用いた場合よりも高められる。
【００５９】
また、油性液体が乳化液の一部として含まれることによって、インク中の水性液体の含有量は、一般的な水性インクよりも低減される。その結果、カールやコックリングなど紙媒体に与える影響も抑制することが可能となった。
【００６０】
しかも、油性液体の少なくとも一部は、特定の芳香族アルコールであり、かかる芳香族アルコールは鉱物油等に比べて親油性が低い。このため、透明樹脂フィルム等へのダメージも低減することができた。
【００６１】
本実施形態にかかるインクジェットエマルジョンインクを調製するにあたっては、まず、色材、水性液体、および乳化剤を混合して混合物を作製する。得られた混合物を、機械的せん断力に供しながら油性液体中に添加して乳化し、油中水型エマルジョンインクが得られる。乳化の際には、例えば機械的乳化法、転相乳化法を用いることができる。
【００６２】
乳化液の調製には、通常の攪拌機に加えて、機械的なせん断力を与える装置を用いることができる。機械的せん断装置は、メディアを使用しないタイプ、およびメディアを使用するタイプのいずれであってもよい。
【００６３】
メディアを使用しない機械的せん断装置としては、具体的には、ウルトラタラックス（ＩＫＡジャパン社製）、ＴＫオートホモミクサー（プライミックス社製）、ＴＫパイプラインホモミクサー（プライミックス社製）、ＴＫフィルミックス（プライミックス社製）、クレアミックス（エム・テクニック社製）、クレアＳＳ５（エム・テクニック社製）、キャビトロン（ユーロテック社製）、ファインフローミル（太平洋機工社製）、マイクロフルイダイザー（みづほ工業社製）、アルティマイザー（スギノマシン社製）、ナノマイザー（吉田興業社製）、ジーナスＰＹ（白水化学工業社製）、およびＮＡＮＯ３０００（美粒社製）などが挙げられる。
【００６４】
メディアを使用する機械的せん断装置としては、具体的には、ビスコミル（アイメックス製）、アペックスミル（寿工業社製）、スターミル（アシザワ、ファインテック社製）、ＤＣＰスーパーフロー（日本アイリッヒ社製）、エムピーミル（井上製作所社製）、スパイクミル（井上製作所社製）、マイティーミル（井上製作所社製）、およびＳＣミル（三井鉱山社製）などが挙げられる。
【００６５】
与えるせん断力は、材料の種類や、乳化手法などに応じて適宜調整することが望まれる。せん断力が強過ぎる場合には、色材を含有する水性液体の分散径が小さくなりすぎて、色材が油性液体と接触する確率が増大する。一方、せん断力が弱すぎる場合には乳化分散が不十分になって、所望の分散径を得ることができない。いずれの場合も、水性液体の合一が生じ、色材として顔料が用いられた場合には、この顔料の凝集も発生する。その結果、均一な乳化液が得られないおそれがある。
【００６６】
適切なせん断力を与えて乳化することによって、本実施形態の油中水型エマルションインクが作製される。色材を含有する水性液体の油性液体中における分散径が２μｍを超えると、吐出安定性が低下する。吐出安定性の観点から、色材を含有する水性液体が、２μｍ以下の分散径で油性液体中に乳化分散されていることが好ましい。水性液体の分散径は、１μｍ以下であることがより好ましく、０．５μｍ以下であることが最も好ましい。
【００６７】
インクジェット記録用であるので、本実施形態にかかるインクは、インクジェットプリンターにおけるヘッドのノズルからの吐出に適切な粘度を有することが必要である。具体的には、２５℃における粘度が５〜５０ｍＰａ・ｓであることが好ましい。より好ましい粘度は、５〜３０ｍＰａ・ｓ以下である。３０ｍＰａ・ｓ以下であれば、吐出動作時におけるヘッド制御温度を比較的低く設定することができる。
【００６８】
インクの吐出性能や浸透性など、最適な特性条件に調整するために、界面活性剤を配合してもよい。
【００６９】
界面活性剤としては、例えば、ポリオキシエチレンアルキルエーテル、ポリオキシアルキレンアルキルエーテル、ポリオキシエチレン多環フェニルエーテル、ポリオキシアルキレン多環フェニルエーテル、グリセリン脂肪酸エステル、およびジメチロールヘプタンＥＯ付加物などが挙げられる。
【００７０】
さらに、アセチレングリコール系界面活性剤またはフッ素系界面活性剤を用いることもできる。アセチレングリコール系界面活性剤としては、例えば２，４，７，９−テトラメチル−５−デシン−４，７−ジオール、３，６−ジメチル−４−オクチンー３，６−ジオール、および３，５−ジメチル−１−ヘキシン−３−オール等が挙げられる。具体的には、サーフィノール１０４、８２、４６５、４８５あるいはＴＧ等（エアープロダクツ社製）である。
【００７１】
フッ素系界面活性剤としては、例えばパーフルオロアルキルエチレンオキシド付加物、パーフルオロアルキルアミンオキシド、パーフルオロアルキルカルボン酸塩、およびパーフルオロアルキルスルホン酸等が挙げられる。具体的にはメガファックＦ−４４３、Ｆ−４４４、Ｆ−４７０、Ｆ−４９４（大日本インキ化学工業社）、ノベックＦＣ−４３０、ＦＣ−４４３０（３Ｍ社）、サーフロンＳ−１４１、Ｓ−１４５、Ｓ−１１１Ｎ、Ｓ−１１３（セイミケミカル社）である。
【００７２】
界面活性剤は、インク全重量の１．０％程度以下の重量で含有されていれば、何等不都合を伴なわずに効果を発揮することができる。
【００７３】
必要に応じて、ｐＨ調整剤、防腐剤・防かび剤等の添加剤を配合することができる。ｐＨ調整剤としては、例えば、リン酸二水素カリウム、リン酸水素二ナトリウム、および水酸化ナトリウム等が挙げられる。
【００７４】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、および１，２−ジベンズイソチアゾリン−３−オン（ＩＣＩ社のプロキセルＣＲＬ、プロキセルＢＤＮ、プロキセルＧＸＬ、プロキセルＸＬ−２、プロキセルＴＮ）などを使用することができる。
【００７５】
こうした添加剤を配合することによって、印字画像品質や保存安定性がさらに高められる。
【００７６】
以下に、インクの具体例を示す。
【００７７】
水性液体としては水を用意し、油性液体としては下記表１に示す成分を用意した。
【表１】
2011099088.tif 000006
【００７８】
ＯＬ１、ＯＬ２．およびＯＬ３は、いずれも下記一般式（Ａ）で表わされる芳香族アルコールである。
【化５】
2011099088.tif 000007
【００７９】
乳化液としては、ＰＶＡの２０ｗｔ％水溶液を準備した。乳化液の調製に当たっては、まず、常温の水を攪拌しつつ、ＰＶＡを加えた。その後、ホットスターラーにより約８０℃まで昇温して、ＰＶＡを溶解させた。約２時間後、室温に放置することにより冷却して、ＰＶＡの２０ｗｔ％水溶液を得た。
【００８０】
得られた水溶液を乳化剤Ｅ１〜Ｅ９として、用いたＰＶＡとともに下記表２にまとめる。下記表２には、ＰＶＡの名称等、けん化価、および粘度を、乳化剤の略称とともにまとめた。ＰＶＡは、いずれも下記一般式（Ｂ）で表わされ、けん化価は、ｎおよびｍの値を用いて１００×ｎ／（ｎ＋ｍ）で得られる。
【化６】
2011099088.tif 000008
【００８１】
粘度は、各ＰＶＡの４ｗｔ％水溶液の２０℃における値であり、コーンプレート型粘度計ＶＩＳＣＯＭＥＴＥＲ  ＴＶ−２２（東機産業社製）を用いて測定した。コーンロータは０．８°×Ｒ２４、条件は２５℃２０ｒｐｍとした。
【表２】
2011099088.tif 000009
【００８２】
また、添加剤として、下記表３に示す界面活性剤を準備した。
【表３】
2011099088.tif 000010
【００８３】
これらの界面活性剤は、いずれも下記一般式（Ｃ）で表わされるジメチロールヘプタンＥＯ付加物（日本乳化剤製）である。Ｓ１（ＤＭＨ−４０）は、平均付加モル（ｈ＋ｊ）＝４の水性活性剤であり、Ｓ２（ＤＭＨ−２０）は、平均付加モル（ｈ＋ｊ）＝２の油性活性剤である。
【化７】
2011099088.tif 000011
【００８４】
各成分を、下記表４に示す処方で配合して、Ｎｏ．１〜２３のインクサンプルを調製した。下記表４中、水性液体、油性液体、乳化剤、および添加剤についての数値は、インク中におけるｗｔ％を示している。
【００８５】
色材としては、自己分散型顔料（Ｃ１）および水溶性染料（Ｃ２）を用意した。
【００８６】
Ｃ１：ＪＥＴ−４６５Ｍ（Ｃａｂｏｔ社製）
Ｃ２：Ｒｅｍａｚｏｌ  Ｂｒ．Ｇｒｅｅｎ  ６Ｂ（ＤＹＳＴＡＲ社製）
なお、Ｃ１においては、表面に官能基を有する顔料が水中に分散されている。この分散体中の水の量は、下記表中の水性液体の量に含まれている。Ｎｏ．１０のインクでは、Ｃ２をインク全量の３ｗｔ％となるような量で配合した。残りのインクではＣ１を用い、顔料の量がインク全量の３ｗｔ％となる量で配合した。
【００８７】
インクサンプルの調製にあたっては、まず、色材、水性液体および乳化剤を攪拌機により混合して混合して混合物を得た。マグネットスターラーを用いて、油性液体を１５００ｒｐｍで攪拌しつつ、ここに前述の混合物を加えた。混合物は、チュービングポンプを用いて、油性液体中に１滴ずつ滴下した。混合物が全量添加された後、１時間攪拌してインクサンプルが得られた。
【００８８】
下記表４には、水性液体の含有量（ＷAQ）と油性液体の含有量（ＷOL）との比（ＷAQ／ＷOL）も併せて示す。
【表４】
2011099088.tif 000012
【００８９】
なお、用いた乳化剤は、いずれもＰＶＡの２０ｗｔ％水溶液であるので、Ｎｏ．１〜２３の各インク中におけるＰＶＡ含有量は次のとおりとなる。Ｎｏ．１３，１４，１５，１６および１７のインクでは、それぞれ３ｗｔ％、４ｗｔ％、０．５ｗｔ％、０．１ｗｔ％および０．０５ｗｔ％であり、残りのインクでは、いずれも１ｗｔ％である。
【００９０】
得られたインクサンプルについて、乳化安定性、保存安定性、および吐出安定性を調べた。評価方法は、それぞれ以下のとおりである。
【００９１】
（乳化安定性）
得られたインクを１０ｍＬ採取して、スクリュー管に収容した。これを密詮して室温で放置し、１日後の分離の有無を目視により観察した。分離が確認された場合には“不良”であり、分離が確認されなければ“良”である。
【００９２】
（保存安定性）
前述の乳化安定性が“良”であったインクを、６５℃の恒温槽に保管した。１週間後、インクの分離の有無、および粘度増加率を調べた。分離の有無は目視により確認した。粘度増加率は、１００（（Ｖ7−Ｖ0）／Ｖ0）にしたがって算出した。Ｖ7は１週間後の粘度であり、Ｖ0は初期の粘度である。粘度は、コーンプレート型粘度計ＶＩＳＣＯＭＥＴＥＲ  ＴＶ−２２（東機産業社製）により測定した。
【００９３】
インクの分離の有無、および粘度増加率を総合して、以下の基準にしたがって保存安定性を評価した。
【００９４】
良：分離なし、かつ、粘度増加率±５％未満
不良：分離有り、あるいは、粘度増加率±５％以上
（吐出安定性）
東芝テック社製ＣＢ１ヘッドにインクを収容し、全ノズルが吐出可能となった時点から連続して１０分間、全てのノズルからインクの吐出を行なった。１０分後、不吐出のノズルの数を数えた。こうした吐出試験を３回行なって平均値を求め、以下の基準にしたがって吐出安定性を評価した。
【００９５】
Ａ：不吐出ノズルが１本以下
Ｂ：不吐出ノズルが５本未満
Ｃ：不吐出ノズルが５本以上
不吐出ノズルの数が５本未満であれば、合格である。
【００９６】
さらに、各インクサンプルについて、普通紙の変形抑制能を調べた。前述のヘッドを搭載したインクジェット記録装置を用いて、普通紙の全面にベタ印字を行なって印刷物を形成した。普通紙としては、東芝コピーペーパーを準備した。得られた印刷物を、２５℃５０％ＲＨの条件下、机上に載置した。３日後、印刷物の端部を固定した際のカール量を測定した。印刷物の紙が凹方向にカールした場合を＋（プラスカール）として、机上面からの最大距離を定規で測定した。
【００９７】
Ａ：１０ｍｍ未満
Ｂ：１０ｍｍ以上２０ｍｍ未満
Ｃ：２０ｍｍ以上
カールは２０ｍｍ未満であれば、用紙の変形抑制能は合格である。
【００９８】
十分な吐出安定性が確保されず、印字不能の場合には、“評価不能”とした。
【００９９】
得られた結果を、下記表５にまとめる。
【表５】
2011099088.tif 000013
【０１００】
また、用紙の変形抑制能を評価するために得られた印刷物を、コクヨ製のクリアブックにファイリングした。1週間後、フィルムの変形具合から、フィルムの変形抑制能を評価した。その結果、Ｎｏ．１，２，６〜１６，および１８〜２３のいずれにおいても、フィルム変形は確認されなかった。
【０１０１】
上記表５に示されるように、Ｎｏ．３〜５のインクは、いずれも乳化安定性が低く、吐出安定性も劣っている。上記表４に示したように、Ｎｏ．３〜５のインクに含有されるＰＶＡは、それぞれＥ４、Ｅ５，およびＥ６であり、これらのＰＶＡは、けん化価が７３（ｍｏｌ％）より大きいことが上記表３に示されている。
【０１０２】
Ｎｏ．６のインクは、吐出安定性が劣っている。上記表４に示したように、Ｎｏ．６のインクに含有されるＰＶＡはＥ６であり、このＰＶＡは４ｗｔ％の水溶液の２０℃における粘度が１０ｍＰａ・ｓ以上であることが、上記表３に示されている。
【０１０３】
Ｎｏ．９のインクは、保存安定性が悪い。上記表４に示したように、Ｎｏ．９のインクに含有されるＰＶＡはＥ９であり、このＰＶＡは、けん化価が４０（ｍｏｌ％）より小さいことが、上記表３に示されている。
【０１０４】
含有されるＰＶＡのけん化価が４０〜７３（ｍｏｌ％）の範囲を外れた場合には、所望の効果を得ることができない。含有されるＰＶＡの４ｗｔ％の水溶液の２０℃における粘度が１０ｍＰａ・ｓ以上の場合も、所望の効果を備えたインクが得られない。
【０１０５】
けん化価および粘度の条件を満たすＰＶＡであっても、含有量が所定の範囲から外れると所望の特性が得られない。ＰＶＡの含有量が４ｗｔ％のＮｏ．１４のインクは、保存安定性が劣っており、ＰＶＡの含有量が０．０５ｗｔ％のＮｏ．１７のインクでは、保存安定性に加えて乳化安定性も劣っている。
【０１０６】
さらに、けん化価および粘度の条件を満たすＰＶＡが、所定の含有量で配合された場合でも、油性液体および水性液体の両方の含有量が所定の範囲内でなければ、所望の効果を得ることができない。油性液体の含有量が５８ｗｔ％と少ないＮｏ．２１のインクでは、紙媒体の変形が大きい。水性液体の含有量が２ｗｔ％と少なく、油性液体の含有量が９０ｗｔ％と多いＮｏ．２３のインクでは、保存安定性および吐出安定性が劣っている。
【０１０７】
Ｎｏ．１，２，７，８，１０〜１３，１５，１６，１８〜２０，および２２のインクに含有されるＰＶＡは、いずれもけん化価が４０以上７３以下である。しかも、いずれのＰＶＡも、４ｗｔ％水溶液の２０℃における粘度が１０ｍＰａ・ｓ未満であり、インク中における含有量は、０．１〜３ｗｔ％である。加えて、Ｎｏ．１，２，７，８，１０〜１３，１５，１６，１８〜２０，および２２のインクにおいては、水性液体の含有量は１０〜４０ｗｔ％であり、油性液体の含有量は６０〜９０ｗｔ％である。
【０１０８】
こうした条件を全て備えているので、乳化安定性、保存安定性、および吐出安定性に優れたインクジェットエマルジョンインクが得られた。しかも、かかるインクは、紙媒体の変形なしに高品質の画像を形成することができる。
【０１０９】
本実施形態のインクジェットエマルジョンインクは、乳化安定性等の安定性に優れるとともに、紙媒体の変形を引き起こさずに紙媒体に高品質な画像を形成することが可能である。
【０１１０】
また、本実施形態のインクジェット記録方法により、乳化安定性等の安定性に優れたインクジェットエマルジョンインクを用いて、紙媒体を変形させることなく高品質な画像を形成することができる。
【符号の説明】
【０１１１】
ｐ…用紙；  １００…用紙カセット；  １０１…用紙カセット；  １０２…給紙ローラ
１０３…給紙ローラ；  １０４…搬送ローラ対；  １０５…搬送ローラ対
１０６…レジストローラ対；  １０７…搬送ベルト；  １０８…駆動ローラ
１０９…従動ローラ；  １１０…ファン；  １１１…負圧チャンバ
１１２…搬送ローラ対；  １１３…搬送ローラ対；  １１４…搬送ローラ対
１１５Ｃ，１１５Ｍ，１１５Ｙ，１１５Ｂｋ…インクジェットヘッド
１１６Ｃ，１１６Ｍ，１１６Ｙ，１１６Ｂｋ…インクカートリッジ
１１７…チューブ；  １１８…排紙トレイ。
【図１】
2011099088.tif 000017